(57)【要約】【課題】射出成形による微細針形状突起物の転写不良を改善し、特にその最先端部を、ミクロ的に鋭利な針形の形状にした微細針形状突起物を提供する。【解決手段】微細針形状突起物８は、基部８ａから上部８ｄまで段差をなして順次縮径され、上部の最先端部８ｆが鋭利な針形形状をなしている。金型２のキャビティ５は、パーティング面２ａに開口する基部５ａから最奥部５ｅまで複数の一周する段差をなして順次縮径されて形成され、最奥部が円錐形状をなす凹部５ｅとされ、かつキャビティを含む領域Ｉを材料のガラス転移点以上に保温する。キャビティの段差を順次縮径する円筒形状の凹部を同心的に複数連設して形成することにより離型する際にパーティング面からキャビティ内に順次空気が流入し、最後に離型される最先端部８ｆは、真空状態が最後まで維持されることになり、転写接着力によりミクロ的な鋭利な針形状となる。【選択図】図１
2009039171.tif 000002
【特許請求の範囲】
【請求項１】
射出成形により基板（９）上に一体に垂設して形成される微細針形状突起物（８）であって、
前記微細針形状突起物（８）は、基部（８ａ）から上部（８ｅ）まで段差をなして順次縮径され、前記上部（８ｅ）の最先端部（８ｆ）が鋭利な針形形状をなしていることを特徴とする微細針形状突起物。
【請求項２】
前記段差は順次縮径する円柱部（８ａ〜８ｄ）が同心的に複数段重なった形状をなし、最上段部（８ｅ）が鋭利な円錐形状をなしていることを特徴とする、請求項１に記載の微細針形状突起物。
【請求項３】
前記複数の円柱部（８ａ〜８ｅ）は、基部側の円柱部（８ａ）から上部の円柱部（８ｄ）へとその高さが順次高く形成され、最上部の先端（８ｆ）が鋭利な円錐形状をなしていることを特徴とする、請求項２に記載の微細針形状突起物。
【請求項４】
パーティング面（２ａ）に開口するキャビティ（５）が形成された固定金型（２）と、前記パーティング面（２ａ）と対向する可動金型（３）からなり、射出成形機にて溶融された材料を前記キャビティ（５）に導入して基板（９）上に一体に微細針形状突起物（８）を成形する微細針形状突起物の成形金型（１）であって、
前記キャビティ（５）は、前記パーティング面（２ａ）に開口する基部（５ａ）から最奥部（５ｅ）まで複数の一周する段差をなして順次縮径されて形成され、最奥部が円錐形状をなす凹部（５ｅ）とされ、かつ前記キャビティ（５）を含む領域（Ｉ）を所定の温度以上に保温し、他の領域（II）を前記所定の温度以下に保温する温度調節装置を備えていることを特徴とする微細針形状突起物の成形金型。
【請求項５】
前記キャビティ（５）の段差は、順次縮径する円筒形状の凹部（５ａ〜５ｄ）が同心的に複数連設して形成されていることを特徴とする、請求項４に記載の微細針形状突起物の成形金型。
【請求項６】
前記複数の凹部（５ａ〜５ｄ）の高さは、前記パーティング面（２ａ）に開口する基部位置の凹部（５ａ）から順次高く形成されていることを特徴とする、請求項５に記載の微細針形状突起物の成形金型。
【請求項７】
前記所定の温度は射出成形機にて溶融された材料のガラス転移点（Ｔｇ）であることを特徴とする、請求項４に記載の微細針形状突起物の成形金型。
【請求項８】
前記所定の温度以下の温度は、室温であることを特徴とする、請求項４に記載の微細針形状突起物の成形金型。
【請求項９】
請求項４乃至請求項８の何れかに記載の微細針形状突起物の成形金型（１）のキャビティ（５）を含む領域（Ｉ）を前記ガラス転移点（Ｔｇ）以上の温度に保温して前記キャビティ（５）に射出成形機にて溶融された材料を導入して、前記成形金型（１）を開きながら離型して請求項１乃至請求項３の何れかに記載の微細針形状突起物（８）を製造することを特徴とする微細針形状突起物の製造方法。
【発明の詳細な説明】
【技術分野】
【０００１】
本発明は、射出成形による微細針形状突起物の転写不良を改善し、特にその最先端部を、ミクロ的に鋭利な針形状にした微細針形状突起物及びその成形金型及びその製造方法に関する。
【背景技術】
【０００２】
射出成形により基板上に先端が鋭利な微細針形状突起物を１本或いは複数本一体に形成したものが特殊な技術分野で要望されてきている。微細針形状突起物を使用したものとして、例えば、主成分素材が生体内において溶解、消失する糖質からなる微細な柱状パイルを基板に設けた、かつ機能性物質を内包及び／又は含有した構造であり、皮膚に接触させることにより、皮膚角質層内に到達する経路を設けて機能性物質を、無痛状態にて、簡便に、安全に角質層内に限定して挿入することを可能とした機能性マイクロパイルが提案されている（例えば、特許文献１参照）。
【０００３】
そして、この機能性パイルは、Ｘ線リソグラフィーによりＸ線感光性樹脂にシンクロトロン放射Ｘ線を照射してマイクロパイルパターンを形成し、このマイクロパイルパターンの反転形状を電鋳加工してマイクロパイル用鋳型を作成し、射出成形によりマイクロパイル用鋳型を基に機能性物質含有素材を射出成形して形成している（例えば、特許文献１参照）。
【特許文献１】特開２００３−２３８３４７（Ｐ２００３−２３８３４７Ａ）号公報（第３−５頁、図１）
【発明の開示】
【発明が解決しようとする課題】
【０００４】
ところで、射出成形により、特にＬ（幅）／Ｔ（高さ）の比が大きな微細針形状突起物を成形すると、特に最先端部の転写不良が大きな課題である。これを改善する手段としてエアーベントを設ける方法、溶融樹脂を加圧する方法等があるが、特に最先端部にミクロ的な鋭利な針形の形状が必要な微細針形状突起物を製作する場合、エアーベントの溝が設けられない。また、Ｌ（幅）／Ｔ（高さ）の比の大きい製品には溶融樹脂を加圧する方法では困難であり、高価になってしまう等の問題がある。
【０００５】
本発明は、このような問題を解決するためになされたもので、射出成形による微細針形状突起物の転写不良を改善し、特にその最先端部を、ミクロ的に鋭利な針形の形状にした微細針形状突起物及びその成形金型及びその製造方法を提供することを目的とする。
【課題を解決するための手段】
【０００６】
上述した課題を解決するために、本発明に係る微細針形状突起物は、
射出成形により基板上に一体に垂設して形成される微細針形状突起物であって、
前記微細針形状突起物は、基部から上部まで段差をなして順次縮径され、前記上部の最先端部が鋭利な針形形状をなしていることを特徴としている。
【０００７】
微細針形状突起物の形状を基盤に連設する基部から上部まで段差をなして順次縮径させる。これにより、射出成形により成形し、成形金型を開きながら製品を離型する際にパーティング面からキャビティ内に順次空気が流入することが可能となり、最先端部が転写接着力によりミクロ的な鋭利な針形形状となる。
【０００８】
また、本発明の請求項２に記載の微細針形状突起物は、請求項１に記載の微細針形状突
起物において、
前記段差は順次縮径する円柱部が同心的に複数段重なった形状をなし、最上段部が鋭利な円錐形状をなしていることを特徴としている。
【０００９】
段差を形成する円柱部を同心的に形成することにより一周する段差を形成することができ、成形金型を開きながら製品を離型する際にパーティング面からキャビティ内に順次空気が流入することが可能となり、最先端部が転写接着力によりミクロ的な鋭利な針形形状となる。
【００１０】
また、本発明の請求項３に記載の微細針形状突起物は、請求項２に記載の微細針形状突起物において、
前記複数の円柱部は、基部側の円柱部から上部の円柱部へとその高さが順次高く形成され、最上部の先端が鋭利な円錐形状をなしていることを特徴としている。
【００１１】
段差を形成する円柱部を同心的に形成し、基部側の円柱部から上部の円柱部へとその高さを順次高くすることにより、成形金型から離型する際にパーティング面からキャビティ内に段差毎に順次空気が流入することが可能となり、最後に離型される最先端部は、真空状態が最後まで維持されることとなり、転写接着力によりミクロ的な鋭利な針形形状となる。
【００１２】
また、本発明の請求項４に記載の微細針形状突起物の成形金型は、
パーティング面に開口するキャビティが形成された固定金型と、前記パーティング面と対向する可動金型からなり、射出成形機にて溶融された材料を前記キャビティに導入して基板上に一体に微細針形状突起物を成形する微細針形状突起物の成形金型であって、
前記キャビティは、前記パーティング面に開口する基部から最奥部まで複数の一周する段差をなして順次縮径されて形成され、最奥部が円錐形状をなす凹部とされ、かつ前記キャビティを含む領域を所定の温度以上に保温し、他の領域を前記所定の温度以下に保温する温度調節装置を備えていることを特徴としている。
【００１３】
成形金型は、成形する際にキャビティを含む領域を所定の温度以上に保温し、他の領域を当該所定の温度以下の温度に保温する。射出成形機にて溶融された材料は、金型のキャビティ内に導入され、当該キャビティの形状に応じて基部から最奥部まで複数の一周する段差をなして順次縮径されて形成され、最奥部が円錐形状とされる。このときキャビティを含む領域が所定温度以上に保温されていることで、転写接着力が大きくなり、最先端部が鋭利な針形形状となる。
【００１４】
また、本発明の請求項５に記載の微細針形状突起物の成形金型は、請求項４に記載の微細針形状突起物の成形金型において、
前記キャビティの段差は、順次縮径する円筒形状の凹部が同心的に複数連設して形成されていることを特徴としている。
【００１５】
キャビティの段差を順次縮径する円筒形状の凹部を同心的に複数連設して形成することにより、金型を開く際にパーティング面からキャビティ内に順次空気を流入させることが可能となる。これにより、最先端部が離型する際の転写接着力を大きくすることが可能となり、最先端部を鋭利な針形形状とすることができる。
【００１６】
また、本発明の請求項６に記載の微細針形状突起物の成形金型は、請求項５に記載の微細針形状突起物の成形金型において、
前記複数の凹部の高さは、前記パーティング面に開口する基部位置の凹部から順次高く形成されていることを特徴としている。
【００１７】
キャビティの段差を形成する凹部をパーティング面に開口する基部位置の凹部からその高さを順次高くすることにより、成形金型から離型する際にパーティング面からキャビティ内に各段差毎に順次空気が流入することとなり、最後に離型される最先端部は、真空状態が最後まで維持されることとなり、転写接着力によりミクロ的な鋭利な針形状となる。
【００１８】
また、本発明の請求項７に記載の微細針形状突起物の成形金型は、請求項４に記載の微細針形状突起物の成形金型において、
前記所定の温度は射出成形機にて溶融された材料のガラス転移点であることを特徴としている。
【００１９】
金型のキャビティを含む領域を材料のガラス転移点以上に保温することにより、射出成形機にて溶融されてキャビティ内に導入された材料の粘度が低下して流動性が増し、微小なキャビティ内に流入し易くなり、成形性が向上する。
【００２０】
また、本発明の請求項８に記載の微細針形状突起物の成形金型は、請求項４に記載の微細針形状突起物の成形金型において、
前記所定の温度以下の温度は、室温であることを特徴としている。
【００２１】
金型のキャビティを含む領域以外の温度を材料のガラス転移点以下である室温に保温することにより、金型が開いた際に室内の空気がキャビティ内に流入し、当該キャビティから離型された成形品が有効に冷却される。
【００２２】
また、本発明の請求項９に記載の微細針形状突起物の製造方法は、
請求項４乃至請求項８の何れかに記載の微細針形状突起物の成形金型のキャビティを含む領域を前記ガラス転移点以上の温度に保温して前記キャビティに射出成形機にて溶融された材料を導入して、前記成形金型を開きながら離型して請求項１乃至請求項３の何れかに記載の微細針形状突起物を製造することを特徴としている。
【００２３】
成形金型は、成形する際にキャビティを含む領域を材料のガラス転移点以上の温度に保温し、他の領域を室温に保温する。射出成形機にて溶融された材料は、金型のキャビティ内に導入され、当該キャビティの形状に応じて基部から最奥部まで複数の一周する段差をなして順次縮径されて形成され、最奥部が鋭利な針形状の円錐形状とされる。
【００２４】
このとき、キャビティを含む領域を材料のガラス転移点以上に保温することにより、射出成形機にて溶融されてキャビティ内に導入された材料の粘度が低下して流動性が増し、微小なキャビティ内に流入し易くなる。また、キャビティを含む領域以外の温度を室温に保温することにより、キャビティから離型された成形部が有効に冷却される。
【００２５】
また、キャビティの段差を順次縮径する円筒形状の凹部を同心的に複数連設して形成し、パーティング面に開口する基部位置の凹部からその高さを順次高くすることにより、成形金型から離型する際にパーティング面からキャビティ内に段差毎に順次空気が流入することとなり、最後に離型される最先端部は、真空状態が最後まで維持されることとなり、最先端部の形状が転写接着力によりミクロ的な鋭利な針形の形状となる。
【発明の効果】
【００２６】
本発明によると、射出成形による微細針形状突起物の最先端部の針形部分の転写不良を改善することができ、特にＬ（幅）／Ｔ（高さ）の比が大きい微細針形状突起物を、その最先端部をミクロ的に鋭利な針形の形状に成形することが可能となる。これにより射出成形により最先端部の形状が鋭利な針形の形状をなす微細針形状突起物を安定して、大量に
かつ安価に製造することが可能となる。
【発明を実施するための最良の形態】
【００２７】
本発明の微細針形状突起物及びその成形金型及びその製造方法の発明を実施するための最良の形態を図１乃至図５を参照して詳細に説明する。
【００２８】
図１は、本発明の微細針形状突起物を射出成形するための成形金型の要部を示す面断面図である。成形金型１は、固定金型２と可動金型３からなり、可動金型３は、矢印Ａで示すように図中下方に移動（下降）して固定金型２のパーティング面（下面）２ａから離型するようになっている。固定金型２は、パーティング面２ａに金型内部の空間即ち、射出成形品である微細針形状突起物を形成するためのキャビティ５が形成されている。
【００２９】
図２は、前記キャビティ５を形成するマスターを示す。マスター６は複数、例えば５段の段部６ａ〜６ｅからなり、各段部６ａ〜６ｅは円柱形状をなしている。そして、最下段（基端）の段部６ａから上部の４段目の段部６ｄまで順次縮径され、最上段の段部６ｅは最先端部（頂部）６ｆが鋭利な円錐形状をなし、これらが同心的に積み重ねられたピラミッド形状をなしている。
【００３０】
そして、これらの段部６ａ〜６ｅは、その高さｈａ〜ｈｅが僅かずつ順次高く形成されており、最上段の段部６ｅが最も高く、ｈａ＜ｈｂ＜ｈｃ＜ｈｄ＜ｈｅとされている。このようにして、一周する４段の段差が形成されている。かかる形状のマスター６は、例えばエンドミルによるミーリングによって形成される。尚、円錐形状をなす最上段の段部６ｅの高さは必ずしも最も高く形成する必要はなく、例えば４段目の段部６ｄと同じ高さとしてもよい。
【００３１】
そして、このマスター６を使用して電鋳法によって図１に示すように固定金型２のパーティング面２ａにキャビティ５が形成されている。従って、キャビティ５の形状はマスター６の形状と反対形状をなし、パーティング面２ａから上方に向けて円筒形状の凹部（穴）５ａ〜５ｄが階段状に同心円状に段差をなし、かつ凹部５ａ〜５ｄ及び最上段の凹部５ｅの最先端部（頂部）５ｆまでの高さ（深さ）がマスター６の段部６ａ〜６ｄ及び最上段の段部６ｅの最先端部（頂部）６ｆまでの高さｈａ〜ｈｄ及びｈｅと同じ高さ（深さ）となり、最下段の凹部５ａから最上段の凹部５ｅまで順次僅かずつ高く（深く）なっている。このように最下段の凹部５ａから上段の凹部５ｄまで順次高く（深く）形成することで、後述するように最先端部がミクロ的な鋭利な針形の形状に成形することが可能となる。
【００３２】
成形金型１は、図示しない温度調節装置が設けられており、キャビティ５を含む領域Ｉ（図中点線で囲んだ領域Ｉ）の温度が射出成形すべき樹脂材料のガラス転移点（Ｔｇ）以上の所定温度に保温可能とされ、その他の領域（領域Ｉ以外の領域）IIは、ガラス転移点（Ｔｇ）以下の所定温度に保温可能とされている。
【００３３】
次に、上記成形金型１により微細針形状突起物の製造方法を説明する。
【００３４】
図１に示すように固定金型２のキャビティ５を含む領域Ｉの温度が成形すべき材料、例えばＰＳ（ポリスチレン：Poly  Styrene）樹脂材料のガラス転移点（Ｔｇ）以上の所定温度に保温され、その他の領域IIが例えば室温に保温されている。
【００３５】
そして、図示しない射出成型機にて溶融された樹脂部材を固定金型２と可動金型３との間の空間部４から矢印Ｂで示すようにキャビティ５内に導入する。尚、使用する樹脂材料としては、上述したＰＳ樹脂材料の他例えばＰＣ（Poly  Carbonate）樹脂、ＡＢＳ（Acryonitrile  Butadiene  Styrene）樹脂等のプラスチック材料がある。
【００３６】
次いで、図３に示すように可動金型３が矢印Ａ方向に移動（下降）して成形金型１が開きながら製品である微細針形状突起物８がキャビティ５から離型される。このとき、微細針形状突起物８の離型は、段差状をなす凹部５ａ〜５ｄにより形成された一周する各段部８ａ〜８ｄの高さｈａ〜ｈｄ（図２参照）が、最下段（基部）側の段部８ａから最上段の段部８ｄまで順次僅かずつ高くなっていることにより、最下段（１段目）の段部８ａがキャビティ５の最下段の凹部５ａから抜け出したときに固定金型２のパーティング面２ａから当該凹部５ａ内に空気が入るが、２段目の段部８ｂの上端部が未だ２段目の凹部５ｂ内にあり、これらの段部８ｂの上面と凹部５ｂの端面との間は段差効果により真空状態となっている。同様に段部８ｃ〜８ｅの上面と対応する凹部５ｃ〜５ｅの端面との間も真空状態となっている。
【００３７】
そして、固定金型３が下降する即ち、成形金型１が開くに伴いパーティング面２ａから微細針形状突起部８の段部８ｂと凹部５ｂ、段部８ｃと凹部５ｃとの間に順次空気が入り、段部８ｂ、８ｃが凹部５ｂ、５ｃから順次離型していく。微細針形状突起部８の３段目の段部８ｄがキャビティ５の対応する凹部５ｃから抜け出したとき、４段目の段部８ｄ及び最上段の段部８ｅが未だ凹部５ｄ、５ｅ内にあり、これらの段部８ｄ、８ｅと凹部５ｄ、５ｅとの間が真空状態になっている。従って、最上段の段部８ｅと凹部５ｅとの間が最後まで真空状態に保持される。
【００３８】
微細針形状突起物８の離型は、形成された当該微細針形状突起物８の一周する複数の段部８ａ〜８ｄとキャビティ５の対応する凹部５ａ〜５ｄとの段差効果により固定金型２のパーティング面２ａからキャビティ５内に順に空気が流入することで離型される。
【００３９】
このため、最後に離型される最上段の段部８ｅは、真空状態が最後まで維持されることとキャビティ５を含む領域ＩがＰＳ樹脂材料のガラス転移点以上の温度に保温された状態であることによる転写接着力によって、最先端部８ｆがミクロ的な鋭利な針形状に形成され、離型直後に空冷されることにより固化形成される。これにより、図５に示すように最先端部８ｆが鋭利に尖った微細針形状突起物８が金型２のパーティング面２ａと金型３との間に形成される基板９の上面に一体に形成される。
【００４０】
因みにこの微細針形状突起物８の大きさは、例えば、基部側の段部８ａが約0.1ｍｍ〜0.2ｍｍ、高さが約0.4ｍｍ〜0.6ｍｍ、基板９の板厚が約0.5ｍｍ〜1.0ｍｍ程度とされている。そして、数ミリ角の基板上に約0.5ｍｍ程度のピッチで格子状に多数（数百本〜数千本）一体に形成されている。尚、仕様によって微細針形状突起物の大きさや、Ｌ（幅）／Ｔ（高さ）は種々のものがあり、また、１本の場合もある。
【００４１】
尚、図１に示す成形金型１のキャビティ５、図２に示すマスター６、及び図３乃至図５に示した微細針形状突起物８等は、分かりやすくするために誇張して描いてある。
【００４２】
また、微細針形状突起物８は、非常に小さく最先端部８ｆは、ミクロン単位の大きさであり、図２に示したマスター６の形状を性格に形成しても固定金型２のキャビティ５の最奥部の円錐形状の凹部５ｅの形状が、マスター６と同じ円錐形状にならずに最先端部５ｆが欠けたり潰れたりする場合がある。このような場合であっても、上述したように最後に離型される最上段の段部８ｅは、キャビティ５を含む領域Ｉの温度がガラス転移点以上に保温されることと凹部５ｅが真空状態が最後まで維持されることによる転写接着力によって、最先端部８ｆがミクロ的な鋭利な針形の形状に形成される。
【００４３】
図６は、図１に示した本発明に係る成形金型１のキャビティ５を含む領域Ｉの温度をＰＳ樹脂材料のガラス転移点以下に設定し、それ以外は上述と同様の方法で微細針形状突起
物８’を製造したものである。この場合、微細針形状突起物８’の最上段８’ｅに転写不良が発生して点線で示す最先端部８’ｆが欠けた略円錐台形状となり、目標とする最先端部が鋭利な針形をなす形状の微細針形状突起物８’を製造することができなかった。
【００４４】
図７は、図１に示した本発明に係る成形金型１との比較例を示し、成形金型の固定金型１２のパーティング面１２ａに形成したキャビティ１３の形状を単なる円錐形状としたものである。そして、上述と同一の方法で微細針形状突起物の製造を試みた。
【００４５】
しかしながら、かかる円錐形状のキャビティ１３は、金型が開く際にパーティング面１２ａからキャビティ１３内に当該キャビティ１３の開口部から奥部（先端部）へと順に空気が入らず、先に奥部へ室温の空気が一気に流入してしまうため、金型先端面の転写不良が不規則に発生し、図８に示すように微細針形状突起部１５の点線で示す最先端部１５ａが欠けた略円錐台形状となり、基板１６上に目標とする最先端部１５ａが鋭利な針形形状の微細針形状突起物１５を製造することができなかった。
【００４６】
尚、上記実施形態では微細針形状突起物の材料として樹脂部材を使用した場合について記述したが、これに限るものではなく、例えば溶融し、かつガラス転移点があるものであれば、ＰＩＭ成形（粉末成形）やエラストマー成形等に適用可能であり、特に複雑な工程も必要でなく、また、安定、大量、かつ安価に最先端部がミクロ的な鋭利な針形形状を製造することが可能である。
【００４７】
また、本発明で得られる、特にＬ（幅）／Ｔ（高さ）の比が大きな微細針形状突起物は、特に１本の製造に限定するものではなく、複数、或いは複数の異なる形状の集合した先端が鋭利な針形形状を得ることが可能であり、産業的にも非常に利用価値が高いものである。
【図面の簡単な説明】
【００４８】
【図１】本発明の一実施形態に係る微細針形状突起物を射出成形により成形するための成形金型の断面図である。
【図２】図１に示した成形金型のキャビティを形成するためのマスターの正面図である。
【図３】図１に示した成形金型により微細針形状突起物を成形する際の金型を開き始めた状態の説明図である。
【図４】図３に示した成形金型を更に開いた状態の説明図である。
【図５】図１に示した成形金型により製造した本発明に係る微細針形状突起物の正面図である。
【図６】図１に示した本発明に係る成形金型により本発明とは異なる状態で微細針形状突起物を製造した場合の微細針形状突起物の一例を示す正面図である。
【図７】本発明に係る成形金型のキャビティの形状と異なる形状のキャビティを有する成形金型のキャビティの断面図である。
【図８】図７に示した成形金型により製造した微細針形状突起物の一例を示す正面図である。
【符号の説明】
【００４９】
１  成形金型
２  固定金型
２ａ  パーティング面（下面）
３  可動金型
４  空間部
５  キャビティ
５ａ、５ｂ、５ｃ、５ｄ、５ｅ  凹部
５ｆ  最先端部
６  マスター
６ａ、６ｂ、６ｃ、６ｄ、６ｅ  段部
６ｆ  最先端部
８  微細針形状突起物
８ａ、８ｂ、８ｃ、８ｄ、８ｅ  段部
８ｆ  最先端部
８’  微細針形状突起物
８’ａ、８’ｂ、８’ｃ、８’ｄ、８’ｅ  段部
８’ｆ  最先端部
９  基板
１２  固定金型
１２ａ  パーティング面
１３  キャビティ
１５  微細針形状突起物
１５ａ  最先端部
１６  基板
Ｉ  固定金型のキャビティを含む領域(高温領域)
II  金型の領域Ｉ以外のその他の領域（低温領域）
【図１】
2009039171.tif 000003
【図２】
2009039171.tif 000004
【図３】
2009039171.tif 000005
【図４】
2009039171.tif 000006
【図５】
2009039171.tif 000007
【図６】
2009039171.tif 000008
【図７】
2009039171.tif 000009
【図８】
2009039171.tif 000010